(57)【特許請求の範囲】
【請求項１】
移動通信システムにおけるセル検索装置において、
第１同期チャンネル上へ受信された信号をチャンネル推定するチャンネル推定器と、
スロットタイムに同期して前記チャンネル推定された信号から基地局グループ特定コードを先決する基地局グループ特定コード先決器と、
前記先決された基地局グループ特定コードの最小距離の推定値をコンマフリーコードにより循環的にチェックする演算器と、
基地局グループを前記最小距離の推定値に応じて決定する基地局グループ検出器と、を含み、
前記基地局グループ検出器は、前記基地局グループ特定コード先決器で決定したコードワードとコンマフリーコードに応じたコードワードとを比較してシンボルが一致する場合に推定値を貯蔵し、シンボルが一致しない場合には推定値を貯蔵しないＳ−ＳＣＨ推定値貯蔵器を含む
ことを特徴とする移動通信システムにおけるセル検索装置。
【請求項２】
前記基地局グループ特定コード先決器は、
第２同期コードに対して前記第２同期チャンネル上へ受信されたフレームを構成するそれぞれのスロットの相関値を演算する相関器と、
それぞれのスロットで、推定された基地局グループ特定コードに対するシンボルとして相関値の最大値に該当する第２同期コードのシンボルを検出するシンボル検出器と、からなる請求項１に記載の移動通信システムにおけるセル検索装置。
【請求項３】
前記基地局グループ特定コード先決器は、
チャンネル推定された値を共役する共役器と、
共役された値を演算された相関値と混合する混合器と、を含む請求項１に記載の移動通信システムにおけるセル検索装置。
【請求項４】
移動通信システムにおけるセル検索方法において、
第１同期チャンネル上へ受信された信号をチャンネル推定するステップと、
スロットタイムに同期して前記チャンネル推定された信号から基地局グループ特定コードを先決するステップと、
前記先決された基地局グループ特定コードの最小距離の推定値をコンマフリーコードから連続してチェックするステップと、
前記最小距離の推定値に応じて基地局グループを決定するステップと、からなり、
前記基地局グループの決定ステップは、前記基地局グループ特定コードの先決ステップで決定したコードワードとコンマフリーコードに応じたコードワードとを比較してシンボルが一致する場合に推定値を貯蔵し、シンボルが一致しない場合には推定値を貯蔵しないＳ−ＳＣＨ推定値貯蔵ステップを含む
ことを特徴とする移動通信システムにおけるセル検索方法。
【請求項５】
前記基地局グループ特定コードの先決ステップは、
同期コードに対して第２同期チャンネル上へ受信されたフレームを構成するそれぞれのスロットの相関値を演算するステップと、
それぞれのスロットで、推定された基地局グループ特定コードに対するシンボルとして相関値の最大値に該当する第２同期コードのシンボルを検出するステップと、からなる請求項４に記載の移動通信システムにおけるセル検索方法。
【請求項６】
前記基地局グループ特定コードの先決ステップは、それぞれのスロットで基地局グループ特定シンボルを選択して前記基地局グループシンボルを貯蔵する請求項５に記載の移動通信システムにおけるセル検索方法。
【請求項７】
前記チェックステップは、
前記コンマフリーコードから基地局グループ特定コードを順番に循環的に読み出すステップと、
前記基地局グループ特定シンボルをそれぞれの循環シフトされた基地局グループ特定コードと比較して最小距離を有するシンボルを決定するステップと、からなる請求項４に記載の移動通信システムにおけるセル検索方法。
【請求項８】
前記基地局グループ特定コードの先決ステップは、
チャンネル推定された値を共役するステップと、
共役された値を演算された相関値と混合するステップと、をさらに含む請求項５に記載の移動通信システムにおけるセル検索方法。
【発明の詳細な説明】
【０００１】
【発明の属する技術分野】
本発明は、移動通信システムに関し、特に、非同期形基地局と移動局との間のセル検索のための装置及び方法に関する。
【０００２】
【従来の技術】
ユニバーサル移動通信システム(ＵＭＴＳ；Universal Mobile Telecommunication System；以下、ＵＭＴＳと略称する。)は、非同期形基地局システムであって、前記ＵＭＴＳを構成する夫々の基地局に識別のためのユニークなセル特定コード(Cell Specific Code)を割り当てる。例えば、前記ＵＴＭＳが５１２個のセル、すなわち、５１２個の基地局を含み、５１２個のセル特定コードはそれぞれの５１２個の基地局に割り当てられる。移動局でセル検索のための演算過程を簡素化するために、前記ＵＴＭＳを構成している基地局は、所定個数のグループ(例えば、３２個のグループ)に分けられて、それぞれの基地局グループに異なるグループ特定コードを割り当てる。前記移動局は、前記基地局グループ特定コードを検索することにより、サービス基地局の属する基地局グループを検出した後、前記基地局グループ内のサービス基地局を決定する。このような多段階のセル検索アルゴリズムは、サービス基地局からの第１同期チャンネル(Primary Synchronization Channel；以下、Ｐ-ＳＣＨと略称する。)信号を受信し、最大電力で受信されたスロットのスロットタイムに同期する第１セル検索ステップと、前期移動局がスロットタイムに同期し、フレーム同期及び前記基地局グループ特定コードを検出する間、前記基地局からの第２同期チャンネル(Secondary Synchronization Channel；以下、Ｓ-ＳＣＨと略称する。)信号を受信する第２セル検索ステップと、前記フレーム同期及び基地局グループ特定コードに基づいて、前記基地局からの放送チャンネル(Broadcasting Channel；以下、ＢＣＨと略称する。)信号を受信する第３セル検索ステップとを含む。
【０００３】
図１は、ＵＭＴＳチャンネルの構造を示す。図１を参照すると、１個のＵＭＴＳチャンネルフレームは１６個のスロットを含み、それぞれのスロットは２５６０チップで構成される。従って、１個のフレームは４０，９６０チップ(Ｔframe=１６Ｔｓｌｏｔｓ)で構成される。基地局は、それぞれのスロット区間の１／１０、すなわち、２５６チップに対してＰ-ＳＣＨを利用して移動局へ同期コード＃０、ＳＣ０を受信する。そうすると、前記移動局は、Ｐ-ＳＣＨ信号Ｃpを受信して基地局スロットタイムに同期する(第１セル検索ステップ)。ＵＭＴＳを構成するすべての基地局は、Ｐ-ＳＣＨで移動局へ同一な同期コードを伝送する。前記移動局は、Ｐ-ＳＣＨ信号のオフセットに基づいて、サービス基地局のスロットタイムで同期する。そうすると、基地局グループ“ｉth”に対して、前記基地局は、Ｓ-ＳＣＨで基地局グループ特定コードＣSi,1-ＣSi,16をマッピングし、スロットタイム同期した移動局は、前記基地局グループ特定コード及び受信されたＳ-ＳＣＨ信号からサービス基地局のフレーム同期を得る。前記基地局特定コードは、使用可能な１７個の同期コードＳＣ１-ＳＣ１７から１６個のコードを選択的に組み合わせることにより発生したコンマフリーコード(comma free code)に従って設定される(第２セル検索ステップ)。
【０００４】
図２を参照して第２セル検索ステップを詳細に説明する。決定変数演算過程の説明の便宜上、１個のフレームの相関結果値アレイをＳ[１７][１６](相関累算器２１７)、決定変数アレイをＹ[３２][１６](相関累算器２２３)、及びコンマフリーコードテーブルアレイをＣ[３２][１６](コンマフリーコードテーブル２２１)と仮定する。
【０００５】
図２は、従来のセル検索装置のブロック図であって、サービス基地局が第１基地局グループにあるという仮定の下で説明される。
図２を参照すると、前記基地局は、Ｓ-ＳＣＨ信号で基地局の自分が属している基地局グループ特定コードに該当する同期コードのマッピングを行う。前記移動局は、第１セル検索ステップで検出されたスロットタイム同期インデックスに従って前記基地局のスロットタイムに同期し、セル検索装置内のＳ-ＳＣＨ相関器２１１でＳ-ＳＣＨ信号を受信する。前記Ｓ-ＳＣＨ相関器２１１は、第１乃至第１７同期コード自己相関関数により受信されたＳ-ＳＣＨ信号の相関値を計算するための第１乃至第１７Ｓ-ＳＣＨ相関器２１３〜２１５からなる。前記Ｓ-ＳＣＨ相関器２１１は、同期コードと同じだけの相関器、すなわち、それぞれの同期コードに対して、入力フレーム内でそれぞれのスロットの相関値を検出するための１７個の相関器を有する。入力フレームを構成する第１スロットの検出のとき、前記Ｓ-ＳＣＨ相関器２１１は、それぞれの同期コードに対して第１スロットでＳ-ＳＣＨチャンネルの相関値を計算する。１個のスロットの当たり第１乃至第１７同期コードに対して１７個の相関値を計算するので、１個のスロットの当たりマトリックス形態である１６×１７個の相関値が得られる。図３Ａに示すように、Ｓ-ＳＣＨ相関値貯蔵器２１７は、１６×１７のマトリックス形態でＳ-ＳＣＨ相関器２１１から受信された相関値を貯蔵する。入力フレームを構成するそれぞれのスロットでのＳＣＨの相関値はコラム(column)別に貯蔵される。すなわち、第１スロットでのＳ-ＳＣＨの相関値は、第１コラムｓ(１，１)、ｓ(２，１)、...、ｓ(１６，１)、ｓ(１７，１)で配列される。第２スロットでのＳ-ＳＣＨの相関値は、第２コラムｓ(１，２)、ｓ(２，２)、...、ｓ(１６，２)、ｓ(１７，２)で配列される。このようにして、第１６スロットでのＳ-ＳＣＨ相関値は、第１６コラムｓ(１，１６)、ｓ(２，１６)、...、ｓ(１６，１６)、ｓ(１７，１６)で配列される。
【０００６】
１６×１７個の相関値が入力フレームの終わりでＳ-ＳＣＨ相関値貯蔵器２１７に完全に貯蔵されると、図４に示すように、シフト比較器２１９は、コンマフリーコードテーブルを読み出す。前記シフト比較器２１９は、前記コンマフリーコードテーブル内のコンマフリーコードでＳ-ＳＣＨ相関値貯蔵器２１７から受信されたＳ-ＳＣＨ相関値を比較してマッピングされた相関値を相関値累算器(correlation value accumulator)２２３へ供給する。図３Ａに示すように、前記シフト比較器２１９は、最初のＳ-ＳＣＨ相関値ｓ(１，１)に対してコンマフリーコードを参照する。図４は、前記コンマフリーコードテーブル内の第１コードワードの第１シンボルが１であることを示すもので、基地局がシンボル１に該当する同期コード、すなわち、伝送の以前に、Ｓ-ＳＣＨで第１同期コードＳＣ１をマッピングすることを意味する。従って、前記相関値累算器２２３は、Ｙ(１，１)にｓ(１，１)を貯蔵する。同一な方法にて、他のスロット内に挿入された第１コードワードの他のシンボルにマッピングされた他の相関値もＹ(１，１)に順次的に累算される。他のコードワードも同一な手順で遂行される。そこで、０循環シフトの累算値は、３２×１６決定変数メモリＹの第１ロウ(row)に貯蔵される(相関値累算器２２３)。図３Ｂに示すように、シフト比較器２１９がＳ-ＳＣＨ相関値を１５回循環的にシフトする間、前記のような手順にて遂行される。前記相関累算器２２３は、３２×１６決定変数を累算的に貯蔵する。決定変数(Ｙ[３２][１６])の演算に対して詳細に説明すると、次のような方法で演算アルゴリズムを遂行する。
【０００７】
for(i=0; i<32; i++)
for(j=0; j<16; j++){Y[i][j] = 0;
for(k=0; k<16; k++) Y[i][j] += s[C[i][(k+j)%16]][k];},
【０００８】
このような演算は、多様な組合せ(３２×１６=５１２)の形態である相関総和を得るために遂行される。前記相関値累算器２２３の内で、最大相関値検出器２２５は最大値(ｉ，ｊ)を検索するが、第１インデックスｉは、基地局グループ特定コードに該当し、第２インデックスｊは、フレーム同期、すなわち、(１６−ｊ)％１６スロットで次のフレームの始まりを決定する。従って、前記移動局はオフセットを検出し、これにより、基地局に対するフレーム同期を得て基地局グループを探し出す。
【０００９】
前述した第２セル検索ステップでフレーム同期及び基地局グループを検出するために、従来のセル検索装置は、Ｓ-ＳＣＨ相関器２１１で１個のフレームを構成する１６個のスロットに対する１６×１７個の相関値が貯蔵できるメモリ、及び相関値累算器２２３でシフト比較による３２×１６×１６個の相関値が貯蔵できるメモリを備えなければならなかった。
【００１０】
【発明が解決しようとする課題】
従って、本発明の目的は、フレーム同期及び基地局グループの第２セル検索ステップで演算過程を最小化できるセル検索装置及び方法を提供することにある。
本発明の他の目的は、フレーム同期及び基地局グループの第２セル検索ステップでメモリの資源使用の効率性が増大できるセル検索装置及び方法を提供することにある。
【００１１】
【課題を解決するための手段】
前記のような目的を達成するために、本発明は、移動通信システムにおけるセル検索装置及び方法を提供する。セル検索装置において、基地局グループ特定コード先決器(specific code predetermining unit)は、スロットタイムに同期して同期チャンネルから前もって基地局グループ特定コードを決定する。演算器は、基地局グループ特定コードテーブルの先決された(predetermined)基地局グループ特定コードを循環的にシフト演算する。基地局グループ特定コード検出器は、循環シフト演算の結果値のうち、基地局グループ特定コードテーブルからの基地局グループ特定コードに対する最小距離の推定値を有するコードを最終基地局グループ特定コードとして決定する。
【００１２】
セル検索方法において、基地局グループ特定コードは、スロットタイムに同期して同期チャンネルから予め決定される。そうすると、基地局グループ特定コードテーブルを参照して、先決された基地局グループ特定コードは循環シフトされた演算動作が行われる。循環シフト演算の結果値のうち、基地局グループ特定コードテーブル上の基地局グループ特定コードに対する最小距離の推定値を有するコードは、最終基地局グループ特定コードとして決定される。
【００１３】
【発明の実施の形態】
以下、本発明に従う好適な実施例を添付図面を参照しつつ詳細に説明する。なお、関連した公知機能又は構成に関する具体的な説明は本発明の要旨をぼやかさないようにするために省略するものとする。
【００１４】
図５は、本発明の実施例に従うセル検索装置のブロック図である。
図５を参照すると、セル検索装置は、スロットタイム同期をセル検索装置に提供するＳＣＨで基地局グループ特定コードを予め決定する基地局グループ特定コード先決器と、基地局グループ特定コードテーブルを参照して先決された基地局グループ特定コードの循環シフト演算を遂行する演算器と、最小推定距離で基地局グループ特定コードを検出する基地局特定コード検出器と、から構成される。前記基地局グループ特定コード先決器は、遅延器５１１、チャンネル推定器５１３、共役器(conjugator)５１５、Ｓ-ＳＣＨ相関器２１１、混合器５１７〜５１９、Ｓ-ＳＣＨ相関値貯蔵器５２１，最大相関値検出器５２３，シンボル検出器５２５，及び推定された基地局グループ特定シンボル貯蔵器５２７を含む。前記演算器は、コンマフリーコードテーブル貯蔵器２２１、循環シフター(cyclic shifter)５３１、及び比較器５２９を含む。前記基地局グループ特定コード検出器は、Ｓ-ＳＣＨ推定量貯蔵器５３３及び基地局グループ決定器５３５を含む。
【００１５】
前述したように、第１セル検索ステップを遂行した後、スロットタイムインデックスを同期するスロットタイムの受信のとき、前記チャンネル推定器５１３及びＳ-ＳＣＨ相関器２１１は、スロットタイムに同期して動作を開始する。前記チャンネル推定器５１３は、Ｐ-ＳＣＨ信号を使用するＳ-ＳＣＨを推定し、チャンネル推定値を共役器５１５に供給する。前記受信されたＰ-ＳＣＨ信号が(ｒI+ｒ ｊａQ)と仮定する場合、前記信号は、前記チャンネル推定器５１３に入力される。ここで、ｒIは、受信された信号の同相分、ｒQは、受信された信号の直角分である。そうすると、前記チャンネル推定器５１３は、Ｐ-ＳＣＨの第１同期コードＳＣＨ０を利用して入力信号を逆拡散し、前記逆拡散された信号を利用してＳ-ＳＣＨのチャンネル補償を遂行する。このようなチャンネル補償は、数式（１）で表現できる。
【００１６】
【数１】
0004077604.tif 000002
【００１７】
前記チャンネル推定器５１３は、前記共役器５１５にチャンネル推定信号を印加する。前記チャンネル推定は、基地局グループ特定コードを先決するとき加わる誤差による性能低下を防止するために遂行される。前記共役器５１５は、受信された信号の共役を得る。
【００１８】
一方、前記チャンネル推定器５１３及びＳ−ＳＣＨ相関器２１１は、Ｐ−ＳＣＨのスロットタイミング信号が提供される。チャンネル推定に所要される時間遅延(time delay)を補償するために、前記遅延器５１１は、受信された信号を遅延させて前記チャンネル推定器５１３の出力でＳ−ＳＣＨ相関器２１１の出力タイミングを制御する。遅延時間の期間は、２５６チップ（１シンボル）がある。そこで、前記チャンネル推定器は、遅延時間の間チャンネル推定の演算を完了すべきである。前記Ｓ−ＳＣＨ相関器２１１は、前記タイミング信号から受信された信号に応答して、第１同期コードＳＣ１乃至第１７同期コードＳＣ１７に対して遅延器５１１から受信された信号の相関値を演算する。前記Ｓ−ＳＣＨ相関器２１１は、第１乃至第１７Ｓ−ＳＣＨ相関器２１３〜２１５から構成され、第１乃至第１７同期コード自己相関関数によって受信されたＳ−ＳＣＨ信号の相関値を計算する。前記Ｓ−ＳＣＨ相関器２１１は、同期コードと同じだけの相関器、すなわち、それぞれの同期コードに対して、入力フレーム内のそれぞれのスロットの相関値を検出するための１７個の相関器を有する。
【００１９】
前記１７個のＳ−ＳＣＨ相関器で構成される理由は、Ｓ−ＳＣＨ構造であるためである。図４のコンマフリーコードテーブルを参照して前記Ｓ−ＳＣＨの構造を説明する。前記コンマフリーコードは、前記Ｓ−ＳＣＨの同期コードを設定する基地局グループ特定コードである。それぞれのコードワードの循環シフト値がコンマフリーコードで設定されているので、基地局フレーム同期及び基地局グループ特定コードの検出が可能である。コンマフリーコードは、１６個のシンボルを含み、それぞれのシンボルは、同期コード番号を表す。例えば、シンボルデータが６である場合、第６同期コードはＳ−ＳＣＨでマッピングされる。コンマフリーコードテーブルを参照すると、第１基地局グループ特定コードは、“1, 1, 2, 11, 6, 3, 15, 7, 8, 8, 7, 15, 3, 6, 11, 2"である。このようなグループコードを有する基地局は、Ｓ−ＳＣＨフレームのスロットにそれの基地局グループ特定コードを表すコンマフリーコードのシンボルを一対一にマッピングする。
【００２０】
Ｓ−ＳＣＨフレームのスロットにコンマフリーコードのシンボルを一対一にマッピングすることを説明する。基地局が第１基地局グループに属する場合、それの基地局グループ特定コードは、“1, 1, 2, 11, 6, 3, 15, 7, 8, 8, 7, 15, 3, 6, 11, 2”であり、前記基地局は、Ｓ−ＳＣＨ信号フレームの１６個のスロットに基地局グループ特定コードに従う同期コードをマッピングする。すなわち、第１スロット＃１に第１同期コードＳＣ１、第１スロット＃２に第１同期コードＳＣ１、第１スロット＃３に第２同期コードＳＣ２、第４スロット＃４に第１１同期コードＳＣ１１、第５スロット＃５に第６同期コードＳＣ６、第６スロット＃６に第３同期コードＳＣ３、第７スロット＃７に第１５同期コードＳＣ１５、第８スロット＃８に第７同期コードＳＣ７、第９スロット＃９に第８同期コードＳＣ８、第１０スロット＃１０に第８同期コードＳＣ８、第１１スロット＃１１に第７同期コードＳＣ７、第１２スロット＃１２に第１５同期コードＳＣ１５、第１３スロット＃１３に第３同期コードＳＣ３、第１４スロット＃１４に第６同期コードＳＣ６、第１５スロット＃１５に第１１同期コードＳＣ１１、及び第１６スロット＃１６に第２同期コードＳＣ２をマッピングする。
【００２１】
１７個の使用可能な同期コードから選択された１６個のコードの組合せによるコンマフリーコードがＳ−ＳＣＨ信号フレームのスロットにマッピングされるので、前記Ｓ−ＳＣＨ相関器２１１は、それぞれの同期コードに対する相関値を計算するために、同期コードと同じだけの相関器を含むことである。前記第１乃至第１７同期コードに対して、１個のスロットの当たり、１７個の相関値が検出されるので、１６×１７個の相関値は、１個のフレームの当たり得られる。第１混合器５１７は、第１Ｓ−ＳＣＨ相関器２１３からの相関値を受信し、第１７混合器５１９は、第１７Ｓ−ＳＣＨ相関器２１５からの相関値を受信する。示されていないが、Ｓ−ＳＣＨ相関器は、第２乃至第１６同期コードに入力フレームの第２乃至第１６スロットを相関するために備えられ、第２乃至第１６相関器と同じだけの混合器は、それからの相関値を受信するために備えられる。これは、図５に、第１Ｓ−ＳＣＨ相関器２１３と第１７Ｓ−ＳＣＨ相関器２１５との間の“...”、及び第１混合器５１７と第１７混合器５１９との間の“...”で示される。前記混合器５１７〜５１９は、第１乃至第１７Ｓ−ＳＣＨ相関器２１３〜２１５から受信された信号と共役器５１５から受信された共役をそれぞれ混合する。そうすると、前記Ｓ−ＳＣＨ相関値貯蔵器５２１は、１個のスロットの当たり相関値を表す１７×１のマトリックスで第１乃至第１７混合器５１７〜５１９から受信された信号を貯蔵する。
【００２２】
ここで、混合過程を詳細に説明する。セル検索装置において、第１セル検索ステップで同期したフレームデータスロットタイムを受信するとき、チャンネル推定器５１３は、入力フレームの第１スロットでＳ−ＳＣＨ信号をチャンネル推定する。前記チャンネル推定信号は、チャンネル推定時間により遅延し、前記遅延器５１１は、チャンネル推定のために発生した時間遅延を補償する。前記遅延器５１１は、補償されたチャンネル推定信号がＳ−ＳＣＨ相関器２１１に入力された後、Ｓ−ＳＣＨ相関のタイミングを同期する。前記第１乃至第１７Ｓ−ＳＣＨ相関器２１３〜２１５は、Ｓ−ＳＣＨ信号の第１スロットを第１乃至第１７同期コードに相関させる。前記混合器５１７〜５１９は、第１乃至第１７Ｓ−ＳＣＨ相関器２１３〜２１５から受信された相関値を前記共役器５１５から受信された信号と混合する。前記Ｓ−ＳＣＨ相関値貯蔵器５２１は、第１乃至第１７混合器５１７〜５１９から受信された混合された値を貯蔵する。その後、第２乃至第１６スロットに対しても前記のような手順が反復的に遂行される。
【００２３】
第１Ｓ−ＳＣＨスロットに対してＳ−ＳＣＨ相関器２１３〜２１５の動作が完了すると、第１Ｓ−ＳＣＨスロットの１７×１個の相関値はＳ−ＳＣＨ相関値貯蔵器５２１に貯蔵される。そうすると、最大相関値検出器５２３は、貯蔵された相関値の最大値をスロット単位で検出する。前記シンボル検出器５２５は、最大相関値検出器５２３から受信された最大相関値に該当する同期コードを検出し、推定された基地局グループ特定シンボル貯蔵器５２７にシンボル番号として検出された同期コード番号を出力する。前記推定された基地局グループ特定シンボル貯蔵器５２７は、基地局特定コードのシンボルとしてシンボルデータを貯蔵する。ここで、前記シンボルが第１同期コードＳＣ１に該当する場合、前記シンボルは１である。前記最大相関値の検出過程は、第１乃至第１６スロットで順次的に遂行される。従って、基地局グループ特定コードの１６個のシンボルを与える。連続的な１６個のスロットに対するシンボル検出及び貯蔵が完了すると、基地局グループ特定コードを表すコードワードは、推定された基地局グループ特定シンボル貯蔵器５２７に貯蔵される。
【００２４】
一方、循環シフター５３１は、コンマフリーコードテーブル貯蔵器２２１からコードワードを読出し、順次的にコードワードを循環シフトする。すなわち、第１コードワードのシンボルは順次的にシフトされ、比較器５２９に提供される。前記比較器５２９は、推定された基地局グループ特定シンボル貯蔵器５２７に貯蔵されたコードワードと循環シフター５３１から受信されたコンマフリーコードを比較する。前記コードワードとコンマフリーコードとが一致する場合、推定値１は、Ｓ−ＳＣＨ推定値貯蔵器５３３に貯蔵される。一致しない場合、Ｓ−ＳＣＨ推定値貯蔵器５３３に貯蔵される推定値が存在しない。
【００２５】
順次的に前記コンマフリーコードテーブルを１５回循環シフトする間、前記比較器５２９は、前記コンマフリーコードテーブル内に存在する３２個のコンマフリーコードのそれぞれと１個のフレームを構成する１６個のスロットを比較する。従って、３２×１６×１６回の比較演算は検出されたコードワードにより行われる。３２×１６×１６回の比較演算が終わると、基地局グループ決定器５３５は、最大値（ｉ，ｊ）を検索するが、第１インデックスｉは、基地局グループ特定コードに該当し、第２インデックスｊは、フレーム同期、すなわち、Ｓ−ＳＣＨ推定値貯蔵器５３３内の（１６−ｊ）％１６スロットで次のフレームの始まりを決定する。
【００２６】
従来の第２セル検索ステップにおいて、基地局グループ特定コードのコードワードを検出するために、１６個のスロットのそれぞれでの入力フレームの相関値は、１個のフレームを受信するとき１７回の自己相関関数で演算される。そうすると、前記１６×１７個の相関値は、３２個の基地局グループを表すそれぞれの循環シフトされた３２個のコンマフリーコードと比較される。結果的に、総３２×１６×１６回の演算が遂行されるが、本発明は、１×１７個の推定された基地局グループ特定シンボルについて言及している。そこで、本発明は、１６×１７個の相関値が言及された従来技術より一層効率的である。
【００２７】
【発明の効果】
上述したように、本発明は、検出された相関値ではなく相関値に従う推定値が貯蔵されるので、検出された相関値の貯蔵により消耗されるメモリの容量が節約できる。結果的に、資源の効率性は増加し、生産費用は節減されるという長所を有する。
さらに、Ｓ−ＳＣＨ信号からのフレーム同期及び基地局グループ特定コードを検出する以前に、基地局グループ特定コードの先決による誤差をＰ−ＳＣＨを通じたチャンネル補償で防止できる。
以上、本発明を特定の実施形態を参照して説明してきたが、本発明はこれらに限られるものではなく、各種の変形が本発明の思想及び範囲を逸脱しない限り、当該技術分野における通常の知識を持つ者により可能なのは明らかである。
【図面の簡単な説明】
【図１】  一般的なＵＭＴＳチャンネルの構造を示す図である。
【図２】  従来のセル検索装置のブロック図である。
【図３】  図３Ａは、Ｓ−ＳＣＨ相関値テーブルを示す図であり、図３Ｂは、図３ＡのテーブルにおけるＳ−ＳＣＨ相関値の循環シフト演算動作による他のＳ−ＳＣＨ相関値テーブルを示す図である。
【図４】  コンマフリーコードテーブルを示す図である。
【図５】  本発明の実施例に従うセル検索装置のブロック図である。
【符号の説明】
２１３，２１５  Ｓ−ＳＣＨ相関器２１３〜２１５
２２１  コンマフリーコードテーブル貯蔵器
５１１  遅延器
５１３  チャンネル推定器
５１５  共役器
５１７，５１９  混合器
５２１  Ｓ-ＳＣＨ相関値貯蔵器
５２３  最大相関値検出器
５２５  シンボル検出器
５２７  基地局グループ特定シンボル貯蔵器
５２９  比較器
５３１  循環シフター
５３３  Ｓ−ＳＣＨ推定値貯蔵器
５３５  基地局グループ決定器
【図１】
0004077604.tif 000003
【図２】
0004077604.tif 000004
【図３Ａ】
0004077604.tif 000005
【図３Ｂ】
0004077604.tif 000006
【図４】
0004077604.tif 000007
【図５】
0004077604.tif 000008